(57)【特許請求の範囲】
【請求項１】
ネットワークを介して外部装置と通信可能な画像形成装置であって、
ＣＰＵと、
前記画像形成装置が第１の電力モードである場合に前記外部装置との通信を実行する第１の通信手段と、
前記画像形成装置が第２の電力モードである場合に前記外部装置との通信を実行する第２の通信手段と、
電源制御手段とを備え、
前記ＣＰＵと前記第１の通信手段と前記第２の通信手段と前記電源制御手段とは、バスブリッジを介して接続され、
前記電源制御手段は、前記画像形成装置が前記第１の電力モードで動作する場合、前記第２の通信手段に電力を供給しないで、前記ＣＰＵと前記第１の通信手段に電力を供給し、
前記電源制御手段は、前記画像形成装置が前記第２の電力モードで動作する場合、前記ＣＰＵと前記第１の通信手段に電力を供給しないで、前記第２の通信手段に電力を供給し、
前記画像形成装置は、前記第１の電力モードへの移行指示を前記第２の通信手段が受信した場合に、前記第２の電力モードから前記第１の電力モードに移行することを特徴とする画像形成装置。
【請求項２】
前記画像形成装置は、前記第２の電力モードへの移行指示を前記第１の通信手段が受信した場合に、前記第１の電力モードから前記第２の電力モードに移行することを特徴とする請求項１に記載の画像形成装置。
【発明の詳細な説明】
【技術分野】
【０００１】
本発明は、外部装置とネットワークを介して通信する画像形成装置、電源制御方法及びプログラムに関するものである。
【背景技術】
【０００２】
近年、環境に対する注目は年々高まっており省エネルギーに対する技術の搭載はどのような装置においても重要になっている。そして、種々の装置にはユーザによる装置の使用に見合った様々な省エネルギーモードが搭載されている。
【０００３】
例えば画像形成装置においては、例えば、待機中にネットワークからのプリント指示を常時受信可能なように主記憶メモリを通電したままセルフリフレュシュを実行して、不要な電源部を切断するいわゆるサスペンド方式の省エネ状態がある。
この場合には、ネットワークからプリント指示があると、即座に画像形成装置は主記憶メモリに保持した省エネモード移行前の状態に移行して即座にプリント処理を実行できる省エネモードである。
【０００４】
一方、画像形成装置の機能をすべて使えない、ほぼＯＦＦ状態にして消費電力を最大限に抑えつつ、次回の電源ＯＮを外部ネットワークから電源投入するような遠隔操作による方式も知られている。この方式も１つの省エネ状態である。
遠隔操作による電源投入方式は、装置が持つ全ての機能を使用できる状態であるスタンバイ状態まで起動する技術が確立されている。
こうした背景の中、遠隔操作による電源投入方式において、補助電源にて遠隔操作からの信号を受信して、装置の電源をＯＮするような技術が知られている（特許文献１参照）。
【先行技術文献】
【特許文献】
【０００５】
【特許文献１】特開平１０−２４３０４３号公報
【発明の概要】
【発明が解決しようとする課題】
【０００６】
本発明の目的は、外部装置と通信する第１の通信手段または第２の通信手段に対して電源供給を行うか否かを適切に切り替えることである。
【課題を解決するための手段】
【０００７】
上記目的を達成する本発明の画像形成装置は以下に示す構成を備える。
ネットワークを介して外部装置と通信可能な画像形成装置であって、ＣＰＵと、前記画像形成装置が第１の電力モードである場合に前記外部装置との通信を実行する第１の通信手段と、前記画像形成装置が第２の電力モードである場合に前記外部装置との通信を実行する第２の通信手段と、電源制御手段とを備え、前記ＣＰＵと前記第１の通信手段と前記第２の通信手段と前記電源制御手段とは、バスブリッジを介して接続され、前記電源制御手段は、前記画像形成装置が前記第１の電力モードで動作する場合、前記第２の通信手段に電力を供給しないで、前記ＣＰＵと前記第１の通信手段に電力を供給し、前記電源制御手段は、前記画像形成装置が前記第２の電力モードで動作する場合、前記ＣＰＵと前記第１の通信手段に電力を供給しないで、前記第２の通信手段に電力を供給し、前記画像形成装置は、前記第１の電力モードへの移行指示を前記第２の通信手段が受信した場合に、前記第２の電力モードから前記第１の電力モードに移行することを特徴とする。
【発明の効果】
【０００８】
本発明によれば、外部装置と通信する第１の通信手段または第２の通信手段に対して電源供給を行うか否かを適切に切り替えることができる。
【図面の簡単な説明】
【０００９】
【図１】画像形成装置の構成を示す断面図である。
【図２】図１に示した画像形成装置の制御部の全体構成を示すブロック図である。
【図３】図２に示した画像形成装置の電源部の構成を示すブロック図である。
【図４】図１に示したコントローラ制御部の構成を示すブロック図である。
【図５】図４に示したコントローラ制御部の電源系統を示す図である。
【図６】図２に示した操作部の構成を示す平面図である。
【図７】画像形成装置を制御するフローチャートである。
【図８】画像形成装置を制御するフローチャートである。
【発明を実施するための形態】
【００１０】
次に本発明を実施するための最良の形態について図面を参照して説明する。
＜システム構成の説明＞
〔第１実施形態〕
【００１１】
図１は、本実施形態を示す画像形成装置の構成を示す断面図である。本例は、プリント機能、スキャナ機能、コピー機能、データ通信機能等を備える画像形成装置の例を示すが、プリント機能を実行する印刷装置にも適用可能である。また、本例に示す画像形成装置は、外部装置とネットワークを介して通信するための通信手段として省電力モードに応じた第１の通信手段と、第２の通信手段を備えるが、詳細については後述する。
図１において、画像形成装置は、イメージリーダ２００およびプリンタ部３００からなる画像形成装置本体、折り装置５００およびフィニッシャ６００を含んでいる。イメージリーダ２００の上部には、原稿搬送装置１００が装着され、フィニッシャ６００の上部にはインサータ７００が装着されている。
【００１２】
原稿搬送装置１００は、原稿トレイ１０５上にセットされた原稿を先頭頁から順に１枚ずつ給紙し、湾曲したパスを介して原稿台ガラス２０５の上へと搬送する。イメージリーダ２００が片面原稿を読取る方法としては、原稿台ガラス２０５上の読取位置Ｒ１へ原稿の後端を搬送、停止させ、スキャナユニット２０６を左から右へ移動させることにより、原稿の読取りを行う原稿固定読取モードを備える。さらに、イメージリーダ２００が片面原稿を読取る方法としては、原稿をある読取り速度で読取位置Ｒ１へ搬送し、スキャナユニット２０６を読取位置Ｒ１で固定したまま原稿の読取りを行う原稿流し読取モードがある。その後、いずれの読取モードの場合も、読取った原稿を排紙トレイ１０６に排出する。
【００１３】
さらに、イメージリーダ２００が両面原稿を読取る方法としては、スキャナユニット２０６で表面を読取り、原稿搬送装置１００内に配置した光学ユニット１１０を使用して裏面を読取る方法がある。詳細な説明は後述する。光学ユニット１１０内には図示しないイメージセンサおよび光源等が配置されている。
【００１４】
レンズ２０７を介してイメージセンサ２０８により読取られた原稿の画像は、プリンタ制御部３０１を介して露光制御部３０５に送られる。露光制御部３０５は、画像信号に応じたレーザ光を出力する。このレーザ光が感光ドラム３０６に照射されると、感光ドラム３０６上には静電潜像が形成される。感光ドラム３０６上の静電潜像は現像器３０７により現像され、感光ドラム３０６上の現像剤はカセット３０８、３０９、手差し給紙部３１０および両面搬送パス３１１のいずれかから給送されたシートに転写部３１２で転写される。
【００１５】
転写部３１２で現像剤が転写されたシートは定着部３１３に導かれると、現像剤の定着処理が施される。定着部３１３を通過したシートを、図示しないフラッパにより、一旦、パス３１５からパス３１４に導き、シートの後端がパス３１５を抜けた後、シートをスイッチバックさせてパス３１６から排出ローラ３１７に導く。これにより、現像剤が転写された面を下向きの状態（フェイスダウン）にして排出ローラ３１７によりプリンタ部３００から排出することが可能である。これを反転排紙という。このように、フェイスダウンで排出することにより、原稿搬送装置１００を用いて複数枚の原稿を読取った画像をプリントする場合など、先頭頁から正しい頁順で画像形成を行うことが可能である。
【００１６】
尚、手差し給紙部３１０からＯＨＰシートなどの硬いシートに画像形成を行う場合、パス３１５に導くことなく、現像剤が転写された面を上向きの状態（フェイスアップ）のままで排出ローラ３１７から排出する。
【００１７】
また、シートの両面に画像形成を行う場合、シートを定着部３１３からパス３１５、パス３１４に導き、シートの後端がパス３１５を抜けた直後にシートをスイッチバックさせ、図示しないフラッパにより両面搬送パス３１１に導く。両面搬送パス３１１に導かれたシートに対し、再度、転写部３１２で静電潜像が転写され、定着部３１３で定着処理が施される。
【００１８】
このように、転写部３１２から両面搬送パス３１１を経由して再び転写部３１２に戻る一巡のパスの中に、Ａ４、Ｂ５等のハーフサイズ用紙が５枚入った状態でも搬送可能なように、パス長、ローラ配置、駆動系の分割がなされている。尚、これらの処理による排出頁順は、奇数頁が下向きになるように排出されるので、両面コピー時の頁順を合わせることができる。
【００１９】
排出ローラ３１７から排出されたシートは折り装置５００に送り込まれる。折り装置５００はシートをＺ折りに折りたたむ処理を行う。Ａ３サイズやＢ４サイズのシートで折り処理の指定がなされている場合、折り装置５００で折り処理が行われた後にフィニッシャ６００に送り込まれるが、それ以外のサイズのシートはそのままフィニッシャ６００に送り込まれる。フィニッシャ６００は製本処理、綴じ処理、穴あけなどの処理を行う。また、フィニッシャ６００の上部には、インサータ７００が設けられており、表紙、合紙等をフィニッシャ６００に給送する。
電源部３５０は画像形成装置全体の電源を供給するものである。コントローラ制御部４００は、イメージリーダ２００、プリンタ部３００折り装置５００およびフィニッシャ６００と通信を行い、画像形成装置全体の制御を司る。
【００２０】
図２は、図１に示した画像形成装置の制御部の全体構成を示すブロック図である。本例は、画像形成装置全体を制御するコントローラ制御部４００を中心に構成されている。
図２において、コントローラ制御部４００は、操作部８００の設定やコンピュータ４５３からの指示に基づいて原稿搬送装置１００を制御する原稿搬送装置制御部１０１、イメージリーダ２００を制御する。さらに、コントローラ制御部４００は、イメージリーダ制御部２０１と通信を行い入力される原稿の画像データを取得する。
また、コントローラ制御部４００は、プリンタ部３００を制御するプリンタ制御部３０１と通信を行い、画像データをシートに印刷する。また、コントローラ制御部４００は、折り装置５００を制御する折り装置制御部５０１、フィニッシャ６００を制御するフィニッシャ制御部６０１と通信を行い、印刷されたシートにステイプルやパンチ穴といった所望の出力を実現する。
【００２１】
外部ネットワーク４５１は、ネットワーク４５２を介してコンピュータ４５３と接続するインターフェースであり、例えばコンピュータ４５３からのプリントデータを画像に展開して出力する。また、外部ネットワーク４５１は、ネットワーク４５２を介して後述するハードディスク４０７（以下、ＨＤＤ）内の画像データをコンピュータ４５３に送信したりすることを行う。  
【００２２】
図３は、図１に示した画像形成装置の電源部３５０の構成を示すブロック図である。
図３において、電源部３５０は、商用（ＡＣ）電源３５１よりＤＣ電源を作り出して、各制御部に電力を供給する。本実施形態の電源部３５０は、省エネモード時にコントローラ制御部に電力を供給する省エネ電源３５２を備える。さらに、電源部３５０は、コントローラ制御部４００、原稿搬送装置制御部１０１、イメージリーダ制御部２０１、プリンタ制御部３０１、折り装置制御部５０１、フィニッシャ制御部６０１、操作部８００内の各制御部における制御を司るＣＰＵやＲＡＭなどに電力を供給するメイン電源３５３を備える。さらに、電源部３５０は、各制御部の図示しないモータ、ソレノイド、画像形成に必要な定着部３１３などに電力を供給する駆動系電源３５４を備える。
【００２３】
ここで、メイン電源３５３、駆動系電源３５４は、省エネモード時電源供給を切断可能なように、リレー３５６を有し、コントローラ制御部４００内の電源制御部４１０によってＯＮ／ＯＦＦの制御を可能なように構成している。
【００２４】
メインスイッチ（メインＳＷ）３５５は本実施形態のコントローラ制御部４００内の電源制御部４１０からメインスイッチ内部の図示しないソレノイドを駆動することで電気でもスイッチが切替できる構成になっている。また、電源制御部４１０によってメインスイッチ３５５のＯＮ状態かＯＦＦ状態かを監視することも可能である。
【００２５】
省エネ電源スイッチ３５７は、画像形成装置が全て電源ＯＦＦ状態を作りだすスイッチで、省エネ電源スイッチ３５７がＯＦＦ状態となると、商用（ＡＣ）の電源３５１が印加されていない状態と同じ状態となる。
省エネ電源スイッチ３５７は、省エネ電源３５２を切断するもので、省エネモードを作らずに全て画像形成装置の電源投入状態をＯＦＦ状態にしたい場合に操作部８００から事前に設定を行い、電源制御部４１０が省エネ電源スイッチ３５７をＯＦＦ状態にする。また、省エネ電源スイッチ３５７はメカ的なスイッチにもなっており、画像形成装置がどんな状態（スタンバイ、省エネ状態）でも故意にユーザが全ての電源状態をＯＦＦ状態に遷移させることができる構成になっている。
画像形成装置の電源状態が全てＯＦＦ状態からの電源投入は、メインスイッチ３５５がユーザによってＯＮすることに連動して省エネ電源スイッチ３５７もＯＮするように構成されている。
【００２６】
図４は、図１に示したコントローラ制御部４００の構成を示すブロック図である。なお、本例に示すコントローラ制御部４００は、画像形成動作を実行する状態でネットワーク４５２を介して前記外部装置と通信する第１の通信手段へ電源を供給する第１の省電力モードを備える。さらに、コントローラ制御部４００は、画像形成動作を実行しない状態でネットワーク４５２を介して外部装置（コンピュータ４５３）と通信する第２の通信手段へ電源を供給する第２の省電力モードを備える。ここで、コンピュータ４５３との通信には、各種の通信プロトコルを使用することができ、例えばＵＤＰ，ＴＣＰ／ＩＰ等を使用することができる。特に、第２の省電力モードに移行している状態では、ＵＤＰ（Ｕｓｅｒ  Ｄａｔａｇｒａｍ  Ｐｒｏｔｏｃｏｌ）を使用してコンピュータ４５３から省電力モードからの復帰への指示パケット（ウエイクアップコマンド）を受信することが可能に構成されている。また、本実施形態において、第２の省電力モードへの移行指示は、外部装置としてのコンピュータ４５３から受け取る省電力モード切り替え指示であるが、この切り替え指示は上記指示パケットにより指示される。
また、本実施形態において、第１の省電力モードは、第２の省電力モードよりも電力消費レベルが高くなる。
図４において、コントローラ制御部４００のＣＰＵ４０１は、オペレーティングシステム（以下、ＯＳ）の制御下で各部を総括的に制御する。バスブリッジ４０４は、ＣＰＵ４０１の初期起動プログラムを格納しているＲＯＭ４０２、ＣＰＵ４０１の制御データを一時的に保持し、制御に伴う演算の作業領域として用いられるＲＡＭ４０３が接続されている。
ＨＤＤ４０７には、ＣＰＵ４０１のＯＳを含むメインプログラムを格納している。また、ユーザが取得した画像データや後述する操作部８００で画像を編集したときの保存用にも使用される。
また、バスブリッジ４０４には、操作部８００を制御する操作部制御部４０６が接続されている。
【００２７】
外部ネットワーク４５１と通信を行うネットワーク制御部４０５および本実施形態の外部ネットワーク４５１から画像形成装置の電源投入の指示を受信する外部受信モジュール４０８を有している。ここで、ネットワーク制御部４０５は、第１の通信手段として機能する。
ネットワーク制御部４０５と外部受信モジュール４０８は、本実施形態のサスペンド方式と遠隔操作による電源投入方式との省エネモードの状態によって外部Ｉ／Ｆ切替部４１２によって切り替えを行い、外部ネットワーク４５１と接続される。
ネットワーク制御部４０５は、画像形成装置の主たるネットワーク制御を行うもので、例えば、ＤＨＣＰ、ＴＣＰ、ＡＲＰなどに代表される複数の通信プロトコルで外部ネットワーク４５１と通信を行う。
【００２８】
一方、外部受信モジュール４０８は、外部ネットワーク４５１から画像形成装置の電源投入の指示を受信するだけの機能のみを有している。外部受信モジュール４０８は、例えば、ＵＤＰ（Ｕｓｅｒ  Ｄａｔａｇｒａｍ  Ｐｒｏｔｏｃｏｌ）のプロトコルを採用している。そして、外部受信モジュール４０８は、ＵＤＰを用いてアドレス記憶部４１３に最小限必要なＭＡＣアドレス、サーバＩＰ、ローカルＩＰ、Ｇａｔｅｗａｙアドレスなどを保持しておき固定ＩＰにて受信するようになっている。なお、外部受信モジュール４０８は、第２の通信手段として使用され、沿革操作による電源投入方式に適用する第２の省電力モード時にコンピュータ４５３からウエイクアップコマンドに対応したパケットを受信する。
【００２９】
アドレス記憶部４１３は、外部受信モジュール４０８からは読み込み、ＣＰＵ４０１から読み込み／書き込みが可能となっている。画像形成装置がスタンバイ状態であるときに、後述する操作部８００から自身の固定アドレス等を設定可能になっている。
【００３０】
ＣＰＵ４０１は、バスブリッジ４０４を介して、デバイス制御部４０９間の通信を行う。デバイス制御部４０９は、原稿搬送装置制御部１０１、イメージリーダ制御部２０１、プリンタ制御部３０１折り装置制御部５０１、フィニッシャ制御部６０１と接続され制御を司る。
【００３１】
電源制御部４１０は、画像形成装置全体の電力制御を司り、メインスイッチ３５５の状態を検出したり、省エネモードに移行するリレー３５６を制御したりして省エネモードへの移行／復帰を行い、画像形成装置全体の電源を制御する。
【００３２】
コントローラ制御部４００には、サスペンド方式の省電力モードからの復帰要因を検出する省電力モード復帰要因検出部４１１を有する。省電力モード復帰要因検出部４１１は、画像形成装置がサスペンド方式の省電力モードである場合、省電力モード復帰要因検出部４１１が電源制御部４１０に伝えてサスペンド方式の省電力モードからスタンバイ状態へ復帰させる。具体的には、操作部８００の省エネキー８０４が押下されたり、外部ネットワーク４５１からプリントのジョブが投入された場合、省電力モード復帰要因検出部４１１が電源制御部４１０に伝えてサスペンド方式の省電力モードからスタンバイ状態へ復帰させる。
【００３３】
図５は、図４に示したコントローラ制御部４００の電源系統を示す図である。
図５において、省エネ電源３５２から電源を常に供給するのは、外部Ｉ／Ｆ切替部４１２および電源制御部４１０である。
【００３４】
また、アドレス記憶部４１３は、本実施形態の遠隔操作による電源投入方式の省エネモード時には必ず通電し、画像形成装置がスタンバイ状態であるときに必要に応じて通電されるように構成している。ユーザによって遠隔操作による電源投入のＩＰアドレス等の設定が変更された場合にＣＰＵ４０１が、電源制御部４１０を介して、切断スイッチ４１４を通電し、アドレス記憶部４１３に必要な情報を書き込む。
【００３５】
本実施形態でのサスペンド方式と遠隔操作による電源投入方式との省エネモードを省エネ電源３５２から実現するため、それぞれの状態に遷移する場合には、電源制御部４１０からモード切替セレクタ４５０を設定する。
【００３６】
サスペンド方式の省エネモード時にはＲＡＭ４０３、ネットワーク制御部４０５、省電力モード復帰要因検出部４１１に電源を投入するようにモード切替セレクタ４５０を切り替える。この場合の電力はＲＡＭ４０３でセルフリフレッシュを実行しており、ネットワーク制御部４０５も様々な画像形成装置の起床パケット（ウエイクアップパケット）指示を受信できる状態で待機している。
【００３７】
また、遠隔操作による電源投入方式の場合には、外部受信モジュール４０８およびアドレス記憶部４１３の電源のみ投入するようにモード切替セレクタ４５０および切断スイッチ４１４を切り替える。この場合の電力は外部受信モジュール４０８が特定の起床パケットを受信できる状態で待機できるように構成している。よって、サスペンド方式の省エネモードよりも遠隔操作による電源投入方式のほうが電力は小さい。
【００３８】
その他、ＣＰＵ４０１、ＲＯＭ４０２、バスブリッジ４０４、操作部制御部４０６、ＨＤＤ４０７、デバイス制御部４０９には常にメイン電源３５３より電源供給を行い、省エネモードの場合には、電源部３５０内のリレー３５６を切断する。
【００３９】
図６は、図２に示した操作部８００の構成を示す平面図である。
図６において、ＬＣＤ表示部９００は、ＬＣＤ上にタッチパネルシートが貼られており、システムの操作画面を表示するとともに、表示してあるキーが押されるとその位置情報をコントローラ制御部４００に伝える。テンキー８０１はコピー枚数など、数字の入力時に使用する。スタートキー８０２は、ユーザ所望の条件を設定した後、複写動作、原稿の読取り動作を開始する時などに用いる。ストップキー８０３は稼働中の動作を止めるときに使用する。省エネキー８０４はユーザがサスペンド方式の省電力モードへの移行、復帰を行うのに使用する。
【００４０】
また、８０５はガイドキーであり、キーの機能が解らないとき押すとそのキーの説明が表示される。８０６はコピーモードキーであり、複写を行うときに押す。８０７はファクスキーであり、ファクスに関する設定を行うときに押す。８０８はファイルキーであり、ファイルデータを出力したいときに押す。８０９はプリンタキーであり、コンピュータ等の外部装置からのプリント出力に関する設定などを行うときに使用する。
図７は、本実施形態を示す画像形成装置を制御するフローチャートである。本例は、省エネ状態に遷移する処理例である。なお、各ステップは、ＣＰＵ４０１がＲＯＭ４０２、ＨＤＤ４０７に記憶される制御プログラムをＲＡＭ４０３にロードして実行することで実現される。以下、本実施形態による省電力モードの状態移行指示に基づく電源供給制御について説明する。
【００４１】
なお、画像形成装置がスタンバイ状態にあるとき、省エネ電源スイッチ３５７、メインスイッチ３５５、リレー３５６の各種スイッチはすべてＯＮ状態になっている。モード切替セレクタ４５０はＲＡＭ４０３、ネットワーク制御部４０５、省電力モード復帰要因検出部４１１に通電されている状態になっている。外部受信モジュール４０８には通電されていない。
【００４２】
まず、ＣＰＵ４０１は、省エネ状態に移行するか否かの指示を待っている（Ｓ１０１）。例えば、ユーザが操作部８００内の省エネキー８０４を押下して、省電力モード状態に移行を指示した場合、ＣＰＵ４０１は省電力状態に移行する準備を開始する。あるいは一定時間画像形成装置が未使用な状態が継続した場合、または外部ネットワーク４５１からの画像形成装置の省エネモード移行指示等を受け付けた場合、ＣＰＵ４０１は省電力状態に移行する準備を開始する。
【００４３】
なお、ユーザによってどの省エネモードに移行するかの設定は、ＲＯＭ４０２内に格納されている。例えば、サスペンド方式の省電力モードと遠隔操作による電源投入方式との省エネモード共にサポートする場合には、条件によって省電力モードを切替える。
【００４４】
また、ユーザが操作部８００内の省エネキー８０４を押下して省電力モード状態に移行を指示した場合は、サスペンド方式の省電力モードに移行し、シャットダウンの指示では遠隔操作による電源投入方式状態に移行する等の組み合わせは自由に設定できる。
【００４５】
次に、ＣＰＵ４０１は、省エネ状態移行指示がサスペンド方式の省電力モードへの移行であるかを判断する（Ｓ１０２）。ここで、サスペンド方式の省電力モードへの移行の指示であるとＣＰＵ４０１が判断した場合には、Ｓ１０３へ進む。そして、ＣＰＵ４０１は、ＲＡＭ４０３にＣＰＵのステータス、接続されている電子デバイスのステータス、ならびにＯＳやアプリケーションの作業状態をメモリイメージとして作成する（Ｓ１０３）。このデータ構造は、一般的にＯＳによって管理されるメモリ領域であり、システムメモリ、ビデオメモリの退避領域が含まれている。
【００４６】
このようにしてメモリイメージの格納が終了したら、ＣＰＵ４０１は、電源制御部４１０を介してリレー３５６を切断し（Ｓ１０４）、ＲＡＭ４０３はセルフリフレッシュを実行し、サスペンド方式の省電力モードへの移行する（Ｓ１０５）。
一方、Ｓ１０２で、省エネ状態移行指示がサスペンド方式の省電力モードへの移行でないとＣＰＵ４０１が判断した場合は、ＣＰＵ４０１は、省エネ状態移行指示が遠隔操作による電源投入方式への移行か判断する（Ｓ１０６）。
【００４７】
ここで、遠隔操作による電源投入方式への移行であるとＣＰＵ４０１が判断した場合は、ＣＰＵ４０１は電源制御部４１０に遠隔操作による電源投入であることを伝え、リレー３５６を切断する（Ｓ１０７）。そして、電源制御部４１０は、モード切替セレクタ４５０を外部受信モジュール４０８に通電されるように切替えると同時に、電源制御部４１０は切断スイッチ４１４をＯＮしてアドレス記憶部４１３にも通電されるようにする（Ｓ１０８）。
【００４８】
そして、外部受信モジュール４０８およびアドレス記憶部４１３には電源が投入されて、外部受信モジュール４０８はアドレス記憶部４１３から必要なアドレス等を取得して、外部ネットワーク４５１から画像形成装置の電源投入の指示の待機状態となる。
次に、電源制御部４１０は、次回の復帰処理用にメインスイッチ３５５をＯＦＦして（Ｓ１０９）、遠隔操作による電源投入方式の省エネ状態に移行する（Ｓ１１０）。
【００４９】
一方、Ｓ１０６で、遠隔操作による電源投入方式への移行でないとＣＰＵ４０１が判断した場合には、画像形成装置の電源を全てＯＦＦするシャットダウン処理を実行する。
具体的には、ＣＰＵ４０１は電源制御部４１０を介してメインスイッチ３５５および省エネ電源スイッチ３５７をＯＦＦして（Ｓ１１１）、全てＯＦＦ状態に移行する（Ｓ１１２）。
本実施形態によれば、第１の省電力モードへの状態移行指示であると判別した場合、外部受信モジュール４０８への電源供給を制限し、ネットワーク制御部４０５に電源を供給させる。また、第２の省電力モードへの状態移行指示であると判別した場合、ネットワーク制御部４０５への電源供給を制限し、外部受信モジュール４０８に電源を供給させる。これにより、第１の省電力モードと第２の省電力モードとが共存する環境において、適切な省電力制御を実現できる。
【００５０】
図８は、本実施形態を示す画像形成装置を制御するフローチャートである。本例は、遠隔操作による電源投入方式での復帰する処理例である。なお、各ステップは、ＣＰＵ４０１がＲＯＭ４０２、ＨＤＤ４０７に記憶される制御プログラムをＲＡＭ４０３にロードして実行することで実現される。以下、本実施形態による省電力モードの状態移行指示に基づく電源供給制御について説明する。現在、画像形成装置は遠隔操作による電源投入方式の省エネ状態にある。
まず、電源制御部４１０は、ここで、電源制御部４１０は、ユーザによってメインスイッチ３５５を押下されるか（Ｓ２０１）、外部受信モジュール４０８で外部ネットワーク４５１から画像形成装置の電源投入の指示があるか（Ｓ２０２）を待機する。
ここで、外部ネットワーク４５１から画像形成装置の電源投入の指示があったと電源制御部４１０が判断した場合には、外部受信モジュール４０８は電源制御部４１０を介して、メインスイッチ３５５をＯＮする（Ｓ２０３）。
【００５１】
次に、電源制御部４１０は、リレー３５６をＯＮし、モード切替セレクタ４５０をＲＡＭ４０３、ネットワーク制御部４０５、省電力モード復帰要因検出部４１１に通電される状態に切替える（Ｓ２０４）。と同時に、電源制御部４１０は切断スイッチ４１４をＯＦＦしてアドレス記憶部４１３を切断する（Ｓ２０５）。そして、ＣＰＵ４０１は起動処理を実行し（Ｓ２０６）、画像形成装置はスタンバイ状態に復帰する（Ｓ２０７）。
なお、サスペンド方式の省電力モードからの復帰（図示せず）は、省電力モード復帰要因検出部４１１で復帰要因が検出され、電源制御部４１０がリレー３５６をＯＮすることで復帰する。
本実施形態によれば、第１の省電力モードと第２の省電力モードとが共存する環境において、より節電効果の高い省電力制御を行える。
【００５２】
なお、本発明の趣旨に沿うように、各フローチャートに示すステップの一部をそれぞれ組み合わせてなる一連の処理も本発明の処理に含まれる。
【００５３】
また、本発明は、以下の処理を実行することによっても実現される。即ち、上述した実施形態の機能を実現するソフトウエア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【００５４】
本発明は上記実施形態に限定されるものではなく、本発明の趣旨に基づき種々の変形（各実施形態の有機的な組合せを含む）が可能であり、それらを本発明の範囲から除外するものではない。
【００５５】
本発明の様々な例と実施形態を示して説明したが、当業者であれば、本発明の趣旨と範囲は、本明細書内の特定の説明に限定されるのではない。
【００５６】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００５７】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００５８】
３５０  電源部
３５２  省エネ電源
４００  電源制御部
【図１】
0005847494.tif 000002
【図２】
0005847494.tif 000003
【図３】
0005847494.tif 000004
【図４】
0005847494.tif 000005
【図５】
0005847494.tif 000006
【図６】
0005847494.tif 000007
【図７】
0005847494.tif 000008
【図８】
0005847494.tif 000009